(57)【要約】【課題】根掛り等の問題を有効に解決し、安全且つ円滑なルアー釣りを保証し得る釣り用ルアーを提供する。【解決手段】小魚を模した外観形状となるように形成されたルアーボディ１を有する。ルアーボディ１の先端部付近に付設したリップ２とルアーボディ１の腹部に垂下されるフック７とを有し、リップ２の後方においてルアーボディ１の側部に沿って、側方へ突出する剛性線材でなるフックプロテクタ１０を張架する。【選択図】      図１
0003129923.tif 000002
【実用新案登録請求の範囲】
【請求項１】
小魚を模した外観形状となるように形成されたルアーボディを有する釣り用ルアーであって、
前記ルアーボディの先端部付近に付設したリップと前記ルアーボディの腹部に垂下されるフックとを有し、前記リップの後方において前記ルアーボディの側部に沿って、側方へ突出する剛性線材でなるフックプロテクタを張架したことを特徴とする釣り用ルアー。
【請求項２】
前記フックプロテクタは、前記フックの上方にて前記リップの基部付近から前記ルアーボディ後方へ延設され、前記リップとの間で形成される所定領域内に前記フックの先端が位置するようにしたことを特徴とする請求項１に記載の釣り用ルアー。
【請求項３】
前記フックプロテクタは金属製ワイヤでなり、前記ルアーボディの側部より花びら状又は翼状に突出形成されることを特徴とする請求項１又は２に記載の釣り用ルアー。
【考案の詳細な説明】
【技術分野】
【０００１】
本考案は釣り用ルアーに係り、特にルアーボディの先端部付近にリップと称する潜水板を備えたルアーに関するものである。
【背景技術】
【０００２】
ルアー釣りにおいて、対象魚の種類等に応じて様々な形態や工夫が施されたルアーが考案されている。例えば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
ルアーにおける対象魚に対するアピール効果は形態ばかりでなく、ルアーが水中での遊泳中にとるルアーアクションもまた重要なポイントになる。例えば特に、ルアーボディの先端部付近に付設したリップ（潜水板）を備えたルアーにあっては、遊泳中に該リップによって水流抵抗を受けることでルアーアクションをとりながら、遊泳軌跡を描くようにしている。
【考案の開示】
【考案が解決しようとする課題】
【０００４】
湖等で釣りを行う場合、ルアーの遊泳中に湖底等にある障害物にフック（釣り針）が引っ掛かり、ルアー釣りに支障を来たす場合がある。このようなルアーの所謂、根掛りが起きるとこれを解消して元に復帰するための多大な時間を要すると共に、釣果にも影響し、この種のルアー釣りにおいて問題となる。
【０００５】
本考案はかかる実情に鑑み、根掛り等の問題を有効に解決し、安全且つ円滑なルアー釣りを保証し得る釣り用ルアーを提供することを目的とする。
【課題を解決するための手段】
【０００６】
本考案の釣り用ルアーは、小魚を模した外観形状となるように形成されたルアーボディを有する釣り用ルアーであって、前記ルアーボディの先端部付近に付設したリップと前記ルアーボディの腹部に垂下されるフックとを有し、前記リップの後方において前記ルアーボディの側部に沿って、側方へ突出する剛性線材でなるフックプロテクタを張架したことを特徴とする。
【０００７】
また、本考案の釣り用ルアーにおいて、前記フックプロテクタは、前記フックの上方にて前記リップの基部付近から前記ルアーボディ後方へ延設され、前記リップとの間で形成される所定領域内に前記フックの先端が位置するようにしたことを特徴とする。
【０００８】
また、本考案の釣り用ルアーにおいて、前記フックプロテクタは金属製ワイヤでなり、前記ルアーボディの側部より花びら状又は翼状に突出形成されることを特徴とする。
【考案の効果】
【０００９】
本考案によれば、ルアーが水中で遊泳する際、進行方向リップの後方にあるフロントフックは不規則に可動するが、障害物に接触又は衝突した場合でも、フロントフックの先端部は所定領域内に位置している。これによりフックプロテクタ又はリップによって少なくとも先端部自体が障害物に引っ掛かかるのを防ぐことができる。これによりルアーの根掛りを大幅に減少することができる。
【考案を実施するための最良の形態】
【００１０】
以下、本考案による釣り用ルアーの好適な実施の形態について、添付図面に基づいて詳細に説明する。
図１は、この実施形態における釣り用ルアーの例を示している。図において、１はルアーボディ、２はルアーボディ１の先端部付近に付設した潜水板（所謂、リップ）、３はルアーボディ１の先端部に設けた糸環であり、この糸環３に釣糸が結び付けられる。また、４はルアーボディ１の腹部付近に埋設されたウェイト（図４参照）である。更に、５はフックハンガ、６はフックハンガであり、これらにフロントフック（釣針）７及びリヤフック８が係着する。
【００１１】
ルアーボディ１はこの例では例えば木製でもよく、小魚に似せた外観形状となるように形成されている。なお、合成樹脂等の材料によりルアーボディ１の長手方向（前後方向）に沿って二分した２つのボディハーフを相互に接合して、概略中空構造のルアーボディとしてもよい。
【００１２】
リップ２は、ルアーボディ１に対して適度に下方に傾斜するように、即ち前下がりに設けられる。これにより釣糸を引くことでルアーは潜行姿勢をとることができる。フロントフック７のフックハンガ５は、ルアーボディ１の腹部（左右方向中央部）に設定され、このフックハンガ５にフロントフック７が垂下される。フロントフック７（及びリヤフック８）は図１に示されるように錨状に分岐・湾曲し、複数の先端部７ａを有する。
【００１３】
さて、本考案のルアーではリップ２の後方においてルアーボディ１の側部に沿って、側方へ突出する剛性線材でなるフックプロテクタ１０が張架される。図２等に示されるようにこのフックプロテクタ１０は、左右対称にルアーボディ１の両側に一対設けられる。
【００１４】
フックプロテクタ１０は、フロントフック７の上方にてリップ２の基部付近からルアーボディ１後方へ延設される。このフックプロテクタ１０は、リップ２との間で形成される所定領域内に特にフロントフック７の先端部７ａが位置するようにしたものである。
また、フックプロテクタ１０は金属製（例えばステンレス鋼）ワイヤでなり、ルアーボディ１の側部より花びら状又は翼状に突出形成される。
【００１５】
典型的には図４に示すようにリップ２及びフックプロテクタ１０の外形（最大外形）によって形成される領域Ｓとする。フロントフック７は、フックハンガ５を支点にした図示のような前後左右方向の可動範囲を有する。フロントフック７がこのように可動した場合でも、その先端部７ａは常に領域Ｓ内に位置する。この場合、特に図４のような平面（底面）視ではフロントフック７が可動する全ての方向において、先端部７ａはフックプロテクタ１０の内側領域に位置する。
【００１６】
なお、領域Ｓは平面視の場合（図４）だけでなく、ルアーボディ１の側面視及び正面視（図１、図３）においてもリップ２及びフックプロテクタ１０によって所定範囲の領域が形成される。これら各方向においても、フロントフック７が可動した際その先端部７ａが実質的に領域Ｓ内に位置するようになっている。
【００１７】
本考案の釣り用ルアーにおいて、キャスティングされたルアーは着水後、釣糸を引くことでリップ２が水流抵抗を受けて、水中で前傾姿勢をとって潜行する。その場合、釣糸の引き加減あるいは水流の加減で、ルアーボディ１の遊泳を緩急制御することができる。
【００１８】
その際、ルアーの進行方向リップ２の後方にあるフロントフック７は、図４のように不規則に可動する。仮に、遊泳中に障害物に接触又は衝突した場合でも、フロントフック７の先端部７ａは領域Ｓ内に位置しており、フックプロテクタ１０又はリップ２によって少なくとも先端部７ａ自体が障害物に引っ掛かかるのを防ぐことができる。これによりルアーの根掛りを大幅に減少することができ、安全且つ円滑なルアー釣りを実現することができる。
【００１９】
なお、本考案の好適な実施形態を説明したが、本考案は上述した実施形態にのみ限定されるものではなく、必要に応じて適宜変更等が可能である。
例えば、フックプロテクタ１０は金属製の場合の他に、所定の剛性強度を有するものであれば合成樹脂製等であってもよい。また、形状等についても図示例のもののみに限定されない。
また、ルアーボディ１は必ずしも小魚に似せた外観形状を有していなくともよい。
【図面の簡単な説明】
【００２０】
【図１】本考案の実施形態に係る釣り用ルアーの側面図である。
【図２】本考案の実施形態に係る釣り用ルアーの平面図である。
【図３】本考案の実施形態に係る釣り用ルアーの正面図である。
【図４】本考案の実施形態に係る釣り用ルアーの底面図である。
【符号の説明】
【００２１】
１  ルアーボディ
２  リップ
３  糸環
５，６  フックハンガ
７  フロントフック
８  リヤフック
１０  フックプロテクタ
【図１】
0003129923.tif 000003
【図２】
0003129923.tif 000004
【図３】
0003129923.tif 000005
【図４】
0003129923.tif 000006